(57)【特許請求の範囲】
【請求項１】
デジタルカメラと、当該デジタルカメラを調整するデジタルカメラ調整装置と、からなるデジタルカメラ調整システムにおいて、
前記デジタルカメラは、
光学系を介した被写体光を電気信号に変換して画像信号として出力する撮像素子と、
前記画像信号をＡ／Ｄ変換してデジタル画像信号として出力するＡ／Ｄ変換手段と、
前記デジタル画像信号の輝度データに応じたＡＥ（Ａｕｔｏ  Ｅｘｐｏｓｕｒｅ）評価値を出力するＡＥ評価手段と、
前記撮像素子の露光レベルを、露光時間、絞り値、および前記撮像素子の感度のうちの少なくとも１つを変更することにより可変制御可能な露光レベル制御手段と、
前記ＡＥ評価値と露光レベルとの関係を示すＡＥテーブルを記憶した記憶手段と、
前記ＡＥテーブルを参照して、前記ＡＥ評価値から出力されるＡＥ評価値が適正露光レベル時のＡＥ評価値となるように、前記露光レベル制御手段を制御する自動露出制御手段と、
前記デジタルカメラ調整装置から送信されるＡＥテーブルを前記記憶手段に書き込む書込手段と、
を備え、
前記デジタルカメラ調整装置は、
基準輝度レベルの光を照射する光源と、
前記デジタルカメラの露光レベル制御手段に対して、露光レベルを変化させる指示を行う露光レベル変化指示手段と、
前記デジタルカメラのＡＥ評価手段が出力したＡＥ評価値を、前記デジタルカメラから受信するＡＥ評価値受信手段と、
前記光源から照射される基準輝度レベルの光に対する前記ＡＥ評価値受信手段が受信したＡＥ評価値が、基準範囲内となるように、前記露光レベル変化指示手段に指示を行う露光レベル調整手段と、
前記ＡＥ評価値受信手段が受信したＡＥ評価値が、前記基準範囲内となった後に、前記露光レベル変化指示手段に指示を行い、前記ＡＥ評価値が基準範囲内となったときの前記撮像素子の露光レベルを基準として露光レベルを上下に段階的に変化させ、当該段階的に変化させた露光レベルに対応したＡＥ評価値を前記ＡＥ評価値受信手段により受信し、当該段階的に変化させた露光レベルと当該段階的に変化させた露光レベルに対応するＡＥ評価値とに基づいて、前記ＡＥ評価値と露光レベルとの関係を示す前記ＡＥテーブルを作成するＡＥテーブル作成手段と、
前記作成したＡＥテーブルを前記デジタルカメラに送信する送信手段と、
を備えたことを特徴とするデジタルカメラ調整システム。
【請求項２】
前記ＡＥ評価手段は、前記撮像素子の受光画面を複数エリアに分割した場合の各エリア毎のＡＥ評価値を重み付け加算して得られるＡＥ評価値を出力することを特徴とする請求項１に記載のデジタルカメラ調整システム。
【請求項３】
前記露光レベル調整手段は、前記光源から照射される基準輝度レベルの光に対する前記ＡＥ評価値が、基準範囲内にあるか否かを判断し、基準範囲内にない場合には、ＡＥ評価値の異常と判断することを特徴とする請求項１又は２に記載のデジタルカメラ調整システム。
【請求項４】
デジタルカメラを調整するデジタルカメラ調整装置において、
基準輝度レベルの光を照射する光源と、
前記光源から照射される基準輝度レベルの光に対するＡＥ評価値を、前記デジタルカメラから受信し、当該ＡＥ評価値が、基準範囲内となるように、前記デジタルカメラを制御する露光レベル調整手段と、
前記ＡＥ評価値が基準範囲内となったときの前記撮像素子の露光レベルを基準として露光レベルを上下に段階的に変化させ、各段階でのＡＥ評価値を前記デジタルカメラから受信し、当該段階的に変化させた露光レベルと当該段階的に変化させた露光レベルに対応するＡＥ評価値とに基づいて、前記ＡＥ評価値と露光レベルとの関係を示す前記ＡＥテーブルを作成するＡＥテーブル作成手段と、
前記作成したＡＥテーブルを前記デジタルカメラの記憶手段に記憶すべく当該デジタルカメラに送信する送信手段と、
を備えたことを特徴とするデジタルカメラ調整装置。
【請求項５】
前記露光レベル調整手段は、前記光源から照射される基準輝度レベルの光に対する前記ＡＥ評価値が、基準範囲内にあるか否かを判断し、基準範囲内にない場合には、ＡＥ評価値の異常と判断することを特徴とする請求項４に記載のデジタルカメラ調整装置。
【請求項６】
デジタルカメラをデジタルカメラ調整装置で調整するデジタルカメラ調整方法において、
前記デジタルカメラが、前記デジタルカメラ調整装置の指示に応じて、所定の露光レベルで撮影を行い、光源から照射される基準輝度レベルの光に対するＡＥ評価値を前記デジタルカメラ調整装置に送信する工程と、
前記デジタルカメラ調整装置が、前記デジタルカメラから受信したＡＥ評価値が規定範囲内であるか否かを判別する工程と、
前記ＡＥ評価値が基準範囲内でない場合に、前記デジタルカメラ調整装置が、露光レベルの変更指示を前記デジタルカメラに送信する工程と、
前記ＡＥ評価値が基準範囲内である場合に、前記デジタルカメラ調整装置が、記ＡＥ評価値が規定範囲内である旨を前記デジタルカメラに通知する工程と、
前記デジタルカメラが、前記通知を受信した場合に、前記ＡＥ評価値が基準範囲内となったときの前記撮像素子の露光レベルを基準として露光レベルを上下に段階的に変化させた露光レベルでの撮影を行って、段階的に変化された露光レベルに対応するＡＥ評価値を前記デジタルカメラ調整装置に送信する工程と、
デジタルカメラ調整装置が、前記段階的に変化させた露光レベルに対応したＡＥ評価値を受信した場合に、当該段階的に変化させた露光レベルと当該段階的に変化させた露光レベルに対応するＡＥ評価値とに基づいて、前記ＡＥ評価値と露光レベルとの関係を示す前記ＡＥテーブルを作成する工程と、
前記デジタルカメラ調整装置が、前記作成したＡＥテーブルを前記デジタルカメラに送信する工程と、
前記デジタルカメラが、前記ＡＥテーブルを受信して、記憶手段に書き込む工程と、
を含むことを特徴とするデジタルカメラ調整方法。
【請求項７】
デジタルカメラ調整装置がデジタルカメラを調整するデジタルカメラ調整方法において、
光源から照射される基準輝度レベルの光に対するＡＥ評価値を、前記デジタルカメラから受信し、当該ＡＥ評価値が、基準範囲内となるように、前記デジタルカメラを制御する工程と、
前記ＡＥ評価値が基準範囲内となったときの前記撮像素子の露光レベルを基準として露光レベルを上下に段階的に変化させ、各段階でのＡＥ評価値を前記デジタルカメラから受信し、当該段階的に変化させた露光レベルと当該段階的に変化させた露光レベルに対応するＡＥ評価値とに基づいて、前記ＡＥ評価値と露光レベルとの関係を示す前記ＡＥテーブルを作成する工程と、
前記作成したＡＥテーブルを前記デジタルカメラの記憶手段に記憶すべく当該デジタルカメラに送信する工程と、
を含むことを特徴とするデジタルカメラ調整方法。
【発明の詳細な説明】
【０００１】
【発明の属する技術分野】
この発明は、デジタルカメラ調整装置及びデジタルカメラ調整システムに関し、詳細には、ＡＥ機能を備えたデジタルカメラを調整するためのデジタルカメラ調整装置、及びデジタルカメラ調整システムに関する。
【０００２】
【従来の技術】
近時、デジタルカメラが普及しており、かかるデジタルカメラでは、高機能化・高性能化が進んでいる。例えば、高機能化の一つとして、ＡＥ機能を備えたデジタルカメラも普及している。
【０００３】
ＡＥ機能を備えた従来のデジタルカメラとして、例えば、特開平２−６０３７８号公報に開示されたものがある。かかる特開平２−６０３７８号公報に記載されたデジタルカメラは、可変利得増幅回路の出力信号または入力信号の信号レベルに基づいて，絞り，撮像手段のシャッタ速度および可変利得増幅回路の利得を制御することにより，使い勝手を向上させている。
【０００４】
【発明が解決しようとする課題】
しかしながら、上記特開平２−６０３７８号公報に記載されたデジタルカメラでは、ＣＣＤ素子やＣＣＤ素子の出力をサンプリングするサンプリング回路の特性のばらつきにより、適正な露光条件にすることが難しく、高品質の画像を得ることができないという問題がある。
【０００５】
本発明は、上記課題に鑑みてなされたものであり、ＡＥ機能を備えたデジタルカメラの露光条件を最適に設定可能として高品質の画像を得ることを可能とするデジタルカメラ調整装置及びデジタルカメラ調整システムを提供することを目的とする。
【０００６】
【課題を解決するための手段】
上述した課題を解決し、目的を達成するため、本発明に係るデジタルカメラ調整システムは、デジタルカメラと、当該デジタルカメラを調整するデジタルカメラ調整装置と、からなるデジタルカメラ調整システムにおいて、前記デジタルカメラは、光学系を介した被写体光を電気信号に変換して画像信号として出力する撮像素子と、前記画像信号をＡ／Ｄ変換してデジタル画像信号として出力するＡ／Ｄ変換手段と、前記デジタル画像信号の輝度データに応じたＡＥ（Ａｕｔｏ  Ｅｘｐｏｓｕｒｅ）評価値を出力するＡＥ評価手段と、前記撮像素子の露光レベルを可変制御可能な露光レベル制御手段と、前記ＡＥ評価値と適正露光レベルとの関係を示すＡＥテーブルを記憶した記憶手段と、前記ＡＥテーブルを参照して、前記ＡＥ評価手段から出力されるＡＥ評価値に対応する適正露光レベルを算出し、当該適正露光レベルとなるように、自動露出制御を行う露出制御手段と、前記デジタルカメラ調整装置から送信されるＡＥテーブルを前記記憶手段に書き込む書込手段と、を備え、前記デジタルカメラ調整装置は、基準輝度レベルの光を照射する光源と、前記光源から照射される基準輝度レベルの光に対する前記ＡＥ評価値が、基準値となるように、露光レベル制御手段を制御する露光レベル調整手段と、前記ＡＥ評価値が、前記基準値となったときの前記撮像素子の露光レベルを基準として露光レベルを上下に段階的に変化させ、当該段階的に変化させた露光レベルと当該段階的に変化させた露光レベルでのＡＥ評価値とに基づいて、前記ＡＥ評価値と前記適正露光レベルとの関係を示す前記ＡＥテーブルを作成するＡＥテーブル作成手段と、前記作成したＡＥテーブルを前記デジタルカメラの記憶手段に記憶すべく前記デジタルカメラに送信する送信手段と、を備えたものである。
【０００７】
また、本発明に係るデジタルカメラ調整システムは、前記ＡＥ評価手段は、前記撮像素子の受光画面を複数エリアに分割した場合の各エリア毎のＡＥ評価値を重み付け加算して得られるＡＥ評価値を出力することとした。
【０００８】
また、本発明に係るデジタルカメラ調整システムは、前記露光レベル調整手段は、前記光源から照射される基準輝度レベルの光に対する前記ＡＥ評価値が、規格値内にあるか否かを判断し、規格値内にない場合には、ＡＥ評価値の異常と判断することとした。
【０００９】
また、本発明に係るデジタルカメラ調整装置は、デジタルカメラを調整するデジタルカメラ調整装置において、基準輝度レベルの光を照射する光源と、前記光源から照射される基準輝度レベルの光に対する前記ＡＥ評価値が、基準値となるように、前記デジタルカメラを制御する露光レベル調整手段と、前記ＡＥ評価値が、前記基準値となったときの前記撮像素子の露光レベルを基準として露光レベルを上下に段階的に変化させ、当該段階的に変化させた露光レベルと当該段階的に変化させた露光レベルでのＡＥ評価値とに基づいて、前記ＡＥ評価値と適正露光レベルとの関係を示す前記ＡＥテーブルを作成するＡＥテーブル作成手段と、前記作成したＡＥテーブルを前記デジタルカメラの記憶手段に記憶すべく当該デジタルカメラに送信する送信手段と、を備えたものである。
【００１０】
また、本発明に係るデジタルカメラ調整装置は、前記露光レベル調整手段は、前記光源から照射される基準輝度レベルの光に対する前記ＡＥ評価値が、規格値内にあるか否かを判断し、規格値内にない場合には、ＡＥ評価値の異常と判断することとした。
【００１１】
【発明の実施の形態】
以下に添付図面を参照して、この発明に係るデジタルカメラ調整装置及びデジタルカメラ調整システムの好適な実施の形態を詳細に説明する。
【００１２】
［発明の概要］
本明細書においては、デジタルカメラ調整システムとは、デジタルカメラ及びデジタルカメラ調整装置を含んだものをいう。デジタルカメラは、自動露出（ＡＥ）機能を備えており、そのＣＰＵ（露出制御手段）は、そのＩＰＰ（ＡＥ評価値手段）から出力されるＡＥ（Ａｕｔｏ  Ｅｘｐｏｓｕｒｅ）評価値を、調整工程でフラッシュメモリ（記憶手段）に書き込まれたＡＥテーブルに基づいて自動露出制御を行う。また、本発明に係るデジタルカメラ調整装置は、ＡＥテーブル調整において、デジタルカメラのＩＰＰから出力されるＡＥ（Ａｕｔｏ  Ｅｘｐｏｓｕｒｅ）評価値に基づいてＡＥテーブルを作成する。このＡＥテーブルは、デジタルカメラのフラッシュメモリに書き込まれる。
【００１３】
以下、［デジタルカメラ］、［デジタルカメラ調整装置］、［ＡＥテーブル調整］の順に説明を行う。
【００１４】
［デジタルカメラ］
図１は、本実施の形態に係るデジタルカメラの構成図である。同図において，１００は、デジタルカメラを示しており、デジタルカメラ１００は、レンズ１０１，オートフォーカス等を含むメカ機構１０２，ＣＣＤ１０３，ＣＤＳ回路１０４，可変利得増幅器（ＡＧＣアンプ）１０５，Ａ／Ｄ変換器１０６，ＩＰＰ１０７，ＤＣＴ１０８，コーダー１０９，ＭＣＣ１１０，ＲＡＭ（内部メモリ）１１１，ＰＣカードインタフェース１１２，ＣＰＵ１２１，表示部１２２，操作部１２３，モータドライバ１２５，およびＳＧ（制御信号生成）部１２６，ストロボ１２７，バッテリ１２８、ＤＣ−ＤＣコンバータ１２９、フラッシュメモリ１３０を具備して構成されている。また，ＰＣカードインタフェース１１２を介して着脱可能なＰＣカード１５０が接続されている。
【００１５】
レンズユニットは，レンズ１０１，オートフォーカス（ＡＦ）・絞り・フィルター部を含むメカ機構１０２等からなり，メカ機構１０２のメカニカルシャッタは２つのフィールドの同時露光を行う。ＣＣＤ（電荷結合素子）１０３は，レンズユニットを介して入力した映像を電気信号（アナログ画像データ）に変換する。ＣＤＳ（相関２重サンプリング）回路１０４は，ＣＣＤ型撮像素子に対する低雑音化のための回路である。
【００１６】
また，ＡＧＣアンプ１０５は，ＣＤＳ回路１０４で相関２重サンプリングされた信号のレベルを補正する。さらにＡ／Ｄ変換器１０６は，ＡＧＣアンプ１０５を介して入力したＣＣＤ１０３からのアナログ画像データをデジタル画像データに変換する。すなわち，ＣＣＤ１０３の出力信号は，ＣＤＳ回路１０４およびＡＧＣアンプ１０５を介し，またＡ／Ｄ変換器１０５により，最適なサンプリング周波数（例えば，ＮＴＳＣ信号のサブキャリア周波数の整数倍）にてデジタル信号に変換される。
【００１７】
また，デジタル信号処理部であるＩＰＰ（Image Pre-Processor)１０７，ＤＣＴ（Discrete Cosine Transform)１０８，およびコーダー（Huffman Encoder/Decoder)１０９は，Ａ／Ｄ変換器１０６から入力したデジタル画像データについて，色差（Ｃｂ，Ｃｒ）と輝度（Ｙ）に分けて各種処理，補正および画像圧縮／伸長のためのデータ処理を施す。画像圧縮・伸長部１０７は，例えばＪＰＥＧ準拠の画像圧縮・伸長の一過程である直交変換，並びに，ＪＰＥＧ準拠の画像圧縮・伸長の一過程であるハフマン符号化・復号化等を行う。
【００１８】
さらに，ＭＣＣ（Memory Card Controller）１１０は，圧縮処理された画像を一旦蓄えてＰＣカードインタフェース１１２を介してＰＣカード１５０への記録，或いはＰＣカード１５０からの読み出しを行う。
【００１９】
ＣＰＵ１２１は，ＲＯＭ（不図示）に格納されたプログラムに従ってＲＡＭ（不図示）を作業領域として使用して、操作部１２３からの指示，或いは図示しないリモコン等の外部動作指示に従い，上記デジタルカメラ内部の全動作を制御する。具体的には、ＣＰＵ１２１は，撮像動作、自動露出（ＡＥ）動作、自動ホワイトバランス（ＡＷＢ）調整動作や、ＡＦ動作等の制御を行う。
また，カメラ電源はバッテリ１２８，例えば，ＮｉＣｄ，ニッケル水素，リチウム電池等から，ＤＣ−ＤＣコンバータ１２９に入力され，当該デジタルカメラ内部に供給される。
【００２０】
表示部１２２は，ＬＣＤ，ＬＥＤ，ＥＬ等で実現されており，撮影したデジタル画像データや，伸長処理された記録画像データを表示すると共に，モード表示部には，当該デジタルカメラの状態等を画面上に表示する。また、操作部１２３は，機能選択，撮影指示，およびその他の各種設定を外部から行うためのボタンを備える。フラッシュメモリ１３０には、例えば、図２に示すようなＡＥテーブル等の調整データが数値化されて書き込まれている。
【００２１】
かかるＡＥテーブルは、図２に示す如く、ＡＥ評価値（例えば、１６ビットデータ）と適正輝度レベル（ｄＥｖ）との関係を示すテーブルであり、ＣＰＵ１２１は、このＡＥテーブルを参照して、ＩＰＰ１０７（後述するＡＥ評価値回路１０８２）から出力されるＡＥ評価値に対応する適正輝度レベルを算出し、撮影した画像データの輝度レベルが算出した適正輝度レベルとなるように自動露出制御をおこなう。
【００２２】
上記したデジタルカメラ１００は、被写体を撮像して得られる画像データをＰＣカード１５０に記録する記録モードと、ＰＣカード１５０に記録された画像を表示する表示モードと、デジタルカメラ調整装置２００と協働してフラッシュメモリ１３０に調整データを書き込む記録・調整モード等を備えている。
【００２３】
図３は、上記ＩＰＰ１０７の具体的構成の一例を示す図である。ＩＰＰ１０７は、図３に示す如く、Ａ／Ｄ変換器１０６から入力したデジタル画像データをＲ・Ｇ・Ｂの各色成分に分離する色分離部１０７１と、分離されたＲ・Ｇ・Ｂの各画像データを補間する信号補間部１０７２と、Ｒ・Ｇ・Ｂの各画像データの黒レベルを調整するペデスタル調整部１０７３と、Ｒ，Ｂの各画像データの白レベルを調整するホワイトバランス調整部１０７４と、ＣＰＵ１２１により設定されたゲインでＲ・Ｇ・Ｂの各画像データを補正するデジタルゲイン調整部１０７５と、Ｒ・Ｇ・Ｂの各画像データのγ変換を行うガンマ変換部１０７６と、ＲＧＢの画像データを色差信号（Ｃｂ，Ｃｒ）と輝度信号（Ｙ）とに分離するマトリックス部１０７７と、色差信号（Ｃｂ，Ｃｒ）と輝度信号（Ｙ）とに基づいてビデオ信号を作成し表示部１２２に出力するビデオ信号処理部１０７８と、を備えている。
【００２４】
更に、ＩＰＰ１０７は、ペデスタル調整部１０７３によるペデスタル調整後のＲ・Ｇ・Ｂの各画像データの輝度データ（Ｙ）を検出するＹ演算部１０７９と、Ｙ演算部１０７９で検出した輝度データ（Ｙ）の所定周波数成分のみを通過させるＢＰＦ１０８０と、ＢＰＦ１０８０を通過した輝度データ（Ｙ）に応じたデジタルカウント値をＡＦ評価値としてＣＰＵ１２１に出力するＡＦ評価値回路１０８１と、Ｙ演算部１０７９で検出した輝度データ（Ｙ）に応じたデジタルカウント値をＡＥ評価値としてＣＰＵ１２１に出力するＡＥ評価値回路１０８２と、デジタルゲイン調整部１０７５によるゲイン調整後のＲ・Ｇ・Ｂの各画像データの輝度データ（Ｙ）を検出するＹ演算部１０８３と、Ｙ演算部１０８３で検出した輝度データ（Ｙ）に応じたデジタルカウント値をＡＷＢ評価値としてＣＰＵ１２１に出力するＡＷＢ評価値回路１０８４と、ＣＰＵ１２１とのインターフェースであるＣＰＵＩ／Ｆ１０８５と、及びＤＣＴ１０８とのインターフェースであるＤＣＴＩ／Ｆ１０８６等を備えている。
【００２５】
上記したデジタルゲイン調整部１０７５は、ＲＧＢ毎に、乗算器１０７５ｒ，１０７５ｇ，１０７５ｂを備えており、各乗算器１０７５ｒ，１０７５ｇ，１０７５ｂに入力するＲ・Ｇ・Ｂの画像データに、ＣＰＵ１２１で設定されるＲＧＢの各ゲインデータをそれぞれ乗算し、Ｒ・Ｇ・Ｂの画像データの信号レベルを調整する。
【００２６】
上記したＡＥ評価値回路１０８２は、画面（ＣＣＤ１０３の受光画面）を、図４に示す如く、６つのＡＥエリアｙ＿１〜ｙ＿６（具体的には、左上のｙ＿１エリア、右上のｙ＿２エリア、左下のｙ＿３エリア、右下のｙ＿４エリア、中央のｙ＿５エリア、中心のｙ＿６エリア）に分割した場合の各エリア毎のＡＥ評価値を重み付け演算したＡＥ評価値を出力する。より具体的には、Ｙ演算部１０７９は、各ＡＥエリアｙ＿１〜ｙ＿６毎の輝度データをそれぞれ検出して、ＡＥ評価値回路１０８２に出力し、ＡＥ評価値回路１０８２は、各ＡＥエリアｙ＿１〜ｙ＿６毎のＡＥ評価値を重み付け演算して得られるデジタルカウント値をＡＥ評価値としてＣＰＵ１２１に出力する。
【００２７】
次に、上記デジタルカメラ１００における自動露出（ＡＥ）制御に関わる動作について説明する。
【００２８】
ＣＰＵ１２１は、ＩＰＰ１０７から取り込んでＲＡＭに格納されたＡＥ評価値に対応する適正輝度レベルを、フラッシュメモリ１３０に格納されたＡＥテーブル（図２参照）を参照して算出し、この適正輝度レベルに基づいて、ＡＧＣアンプ１０５に設定するゲインデータおよびデジタルゲイン調整部１０７５の各乗算器１０７５ｒ，１０７５ｇ，１０７５ｂに乗算するＲＧＢのゲインデータを算出する。続いて、ＣＰＵ１２１は、撮像して取り込まれた画像データに対して、算出したゲインデータをＡＧＣアンプ１０５に設定すると共に、算出したＲＧＢのゲインデータを、デジタルゲイン調整部１０７５の乗算器１０７５ｒ，１０７５ｇ，１０７５ｃにそれぞれ乗算して、撮像信号の信号レベルを調整して自動露出制御を行う。
【００２９】
尚、ＡＥ評価値の取り込みに関し、通常の撮影動作に先だって、ＡＥ評価値を取り込み、撮影時にこのＡＥ評価値に基づいて自動露出制御する方法と、通常の撮影動作においてＡＥ評価値を取り込み、次回の撮影時にこの取り込んだＡＥ評価値に基づいて自動露出制御する方法のいずれでも良い。
【００３０】
また、自動露出制御の対象は、必ずしも上記した如く、ＡＧＣアンプ１０５及びデジタルゲイン調整部１０７５の両者に限られるものではなく、ＡＧＣアンプ１０５、デジタルゲイン調整部１０７５のいずれか一方としても良く、また、絞り量や、シャッター速度をＡＥ評価値に基づいて設定して自動露出制御を行ことにしても良い。すなわち、自動露出制御を行う対象は、ＡＧＣアンプ１０５、デジタルゲイン調整部１０７５、絞り、シャッタ速度のうちいずれか１又は複数とすることができる。
【００３１】
［デジタルカメラ調整装置］
図５は、本実施の形態に係るデジタルカメラ調整装置２００の外観構成を示す図であり、図６は、デジタルカメラ１００とデジタルカメラ調整装置２００とからなるデジタルカメラ調整システム３００のブロック構成を示す図である。
【００３２】
図５及び図６に示すデジタルカメラ調整装置２００は、デジタルカメラ１００に電源を供給するデジタルカメラ供給用電源２０１と、デジタルカメラ供給用電源２０１をＧＰＩＢ制御するためのアダプター２０２と、デジタルカメラ１００で撮影した画像を表示するモニタ２０３と、デジタルカメラ１００でスキャンしたカラー信号（ＲＧＢ）の振幅と位相をベクトル的に表示するベクトルスコープ２０４と、モニタ２０３のビデオ信号観測用のウエーブフォームモニタ２０５と、輝度箱２０６と、デジタルカメラ１００及び上記計測機器（ベクトルスコープ２０４、ウエーブフォームモニタ２０５等）の制御等を行うコンピュータ２０７と、コンピュータ２０７の表示装置であり調整メニュー等を表示するディスプレイ２０８と、コンピュータ２０７本体に装着されるＧＰＩＢＩ／Ｆ２０９と、デジタカメラ１００を固定し、デジタルカメラ供給用電源２０１、ＲＳ−２３２Ｃ、ＶＩＤＥＯ等の信号接続を行う調整治具本体２１０と、制御ＢＯＸ２１１と、を備えている。
【００３３】
図７は、上記コンピュータ２０７の構成を示す図である。コンピュータ２０７は，図７に示す如く、操作指示を与える入力部２０７１と，コンピュータの装置全体の制御を司るＣＰＵ２０７２，当該ＣＰＵ２０７２を動作させる各種制御プログラムを格納したＲＯＭ２０７３と，ＣＰＵ２０７２のワークエリアとして使用されるＲＡＭ２０７４と、デジタルカメラ１００のＩＰＰ１０７から送出されるＡＦ評価値、ＡＥ評価値や、ＡＷＢ評価値等を格納する制御ＲＡＭ２０７５と、制御ＲＡＭから読み出されたＡＥ評価値を格納する調整ＲＡＭ２０７６と、を備えている。上記制御プログラムとしては、例えば、デジタルカメラ１００のフラッシュメモリ１３０にＡＥテーブル等の調整データを書き込むための調整データ作成プログラム等がある。
【００３４】
図８は、調整ＲＡＭのメモリ構成の一例を示す図である。調整ＲＡＭには、図８に示すように、ＡＥテーブルのデータとして露光レベル（Ｅｖ）と当該露光レベルでのＡＥ評価値x ＿dc）が格納され、より具体的には、調整ＲＡＭのアドレス（０ｘ５０，０ｘ５１）、（０ｘ５２，０ｘ５３）、（０ｘ５４，０ｘ５５）、（０ｘ５６，０ｘ５７）、（０ｘ５８，０ｘ５９）、（０ｘ５Ａ，０ｘ５Ｂ）、及び（０ｘ５Ｃ，０ｘ５Ｄ）には、それぞれ、（露光レベル−２．５Ｅｖ，−２．５ＥｖでのＡＥ評価値x ＿dc[0] ）、（露光レベル−２Ｅｖ，−２ＥｖでのＡＥ評価値x ＿dc[1] ）、（露光レベル−１Ｅｖ，−１ＥｖでのＡＥ評価値x ＿dc[2] ）、（露光レベル±０Ｅｖ，±０ＥｖでのＡＥ評価値x ＿dc[3] ）、（露光レベル＋１Ｅｖ，＋１ＥｖでのＡＥ評価値x ＿dc[4] ）、（露光レベル＋２Ｅｖ，＋２ＥｖでのＡＥ評価値x ＿dc[5] ）、及び（露光レベル＋２．５Ｅｖ，＋２．５ＥｖでのＡＥ評価値x ＿dc[6] ）が格納される。このＡＥテーブルのデータを図式化したものが上記図２である。
【００３５】
［ＡＥテーブル調整］
次に、デジタルカメラ１００とデジタルカメラ調整装置２００とで協働して実行されるＡＥテーブル調整の処理手順を図９に示すフローチャートを参照して説明する。図９は、ＡＥテーブル調整の手順を示すフローチャートである。
【００３６】
尚、このＡＥテーブル調整においては、一定の輝度レベルの光を発光する輝度箱２０６（例えば、Ｌｖ１２（ＩＳＯ１００））を照明源として使用する。
【００３７】
先ず、図６に示すように、デジタルカメラ１００を、デジタルカメラ調整装置２００の治具本体２１０に装着し、デジタルカメラ１００及びデジタルカメラ調整装置２００の電源投入が行われると、デジタルカメラ１００及びデジタルカメラ調整装置２００の初期化処理が行われ（ステップＳ１，Ｐ１）、ディスプレー２０８には、図１０に示すような表示メニューがディスプレイ２０８に表示される（ステップＳ２）。
【００３８】
そして、デジタルカメラ１００では、調整、記録モードが設定される（ステップＰ２）。また、デジタルカメラ調整装置２００では、ディスプレイ２０８のメニュー画面から、ＡＥテーブル調整が選択されると（ステップＳ３）、コンピュータ２０７のＣＰＵ２０７２は、ＡＥテーブル調整の開始を示すコマンドを、ＲＳ２３２Ｃケーブルを介して、デジタルカメラ１００のＣＰＵ１２１に送信する（ステップＳ４）。
【００３９】
デジタルカメラ１００のＣＰＵ１２１では、このコマンドを受信すると（ステップＰ３）、ＡＥ、ＡＷＢ、ＡＦの各機能を停止した状態で、絞りを固定（例えば、Ｆ４（Ａv ４））にして、輝度箱に対して、適正露光レベルとなるようなＣＣＤシャッタ速度（露光レベル）で撮影を行う（ステップＰ４）。尚、絞りを固定Ｆ４（Ａv ４）とした場合には、例えば、ＣＣＤシャッタ速度が約１／２００秒（Ｔv ７．７）で適正露光レベルとなる。
【００４０】
この撮影の際、ＩＰＰ１０７のＡＦ評価値回路１０８１、ＡＥ評価値回路１０８２、及びＡＷＢ評価値回路１０８４からは、それぞれ、ＡＦ評価値、ＡＥ評価値、及びＡＷＢ評価値がＣＰＵ１２１に出力される。ＣＰＵ１２１は、これらＡＦ評価値、ＡＥ評価値、及びＡＷＢ評価値をデジタルカメラ調整装置２００のコンピュータ２０７に送信する（ステップＰ５）。
【００４１】
コンピュータ２０７のＣＰＵ２０７２は、ＡＦ評価値、ＡＥ評価値、及びＡＷＢ評価値を受信すると（ステップＳ５）、制御ＲＡＭ２０７５のy ＿data1 アドレスにＡＥ評価値をライトする（ステップＳ６）。
【００４２】
ここで、コンピュータ２０７のＣＰＵ２０７２は、制御ＲＡＭ２０７５にライトしたＡＥ評価値が規格値内であるか否かを判断して（ステップＳ７）、このＡＥ評価値が規格値内にない場合には、ステップＳ１２に移行して、デジタルカメラ１００のＣＰＵ１２１に、ＣＣＤシャッタ速度を変更して再度の撮影を指示し、ＡＥ評価値が規格値内となるまで同じ処理を繰り返す。尚、ＣＣＤシャッタ速度を変更してもＡＥ評価値が規格値内にならない場合には、ＡＥ評価値が異常であると判断して、ＣＣＤ１０３等の異常であると判断することにしても良い。他方、各ＡＥ評価値が規格値内にある場合には、ステップＳ８に移行する。
【００４３】
ステップＳ８では、コンピュータ２０７のＣＰＵ２０７２は、ＡＥ評価値が規格値内である旨をデジタルカメラ１００のＣＰＵ１２１に通知する。
【００４４】
この通知を受信すると、デジタルカメラ１００のＣＰＵ１２１は、上記適正露光レベルになったときのＣＣＤシャッタ速度に対して、ＣＣＤシャッタ速度を−２．５Ｔｖ〜＋２．５Ｔｖ（例えば、Ｔｖ＝５．２〜１０．２（１／３６秒〜１／１２００秒）の範囲内で変更して、＋２．５Ｅｖ、＋２Ｅｖ、＋１Ｅｖオーバー、−１Ｅｖ、−２Ｅｖ、−２．５Ｅｖアンダーをつくり、撮影を行う（ステップＰ６）。
【００４５】
これらの撮影の際に、ＩＰＰ１０７のＡＦ評価値回路１０８１、ＡＥ評価値回路１０８２、及びＡＷＢ評価値回路１０８４からは、ＡＦ評価値、ＡＥ評価値、ＡＷＢ評価値がそれぞれ、ＣＰＵ１２１に出力される。ＣＰＵ１２１は、これらＡＦ評価値、ＡＥ評価値、及びＡＷＢ評価値をデジタルカメラ調整装置２００のコンピュータ２０７に送信する（ステップＰ７）。
【００４６】
コンピュータ２０７のＣＰＵ２０７２は、制御ＲＡＭ２０７５のy ＿data1 アドレスに、受信した各ＴＶ（ＣＣＤシャッタ速度）でのＡＥ評価値を順次ライトする（ステップＳ９）。つづいて、ＣＰＵ２０７２は、y ＿data1 にライトした各ＴＶ（ＣＣＤシャッタ速度）でのＡＥ評価値をリードして、調整ＲＡＭ２０７６のx ＿dc[0] 〜[6] （ＡＥテーブル）にライトする（ステップＳ１０）。そして、ＣＰＵ２０７２は、調整ＲＡＭ２０７６のＡＥテーブルにライトされた露光レベル（Ｅｖ）と当該露光レベルでのＡＥ評価値を、ＡＥテーブルデータとして、デジタルカメラ１００に送信する（ステップＳ１１）。デジタルカメラ１００のＣＰＵ１２１は、このＡＥテーブルデータを受信すると、フラッシュメモリ１３０にライトする（ステップＰ８）。これにより、フラッシュメモリ１３０には、上記図２に示したようなＡＥテーブルのデータがライトされることになる。
【００４７】
以上説明したように、本実施の形態のデジタルカメラ調整システム３００においては、デジタルカメラ１００では、ＣＣＤ１０３は、レンズユニット１０１を介して被写体光を電気信号に変換して画像信号として出力し、この画像信号をＡ／Ｄ変換器１０６でＡ／Ｄ変換してデジタル画像信号として出力し、ＩＰＰ１０７は、このデジタル画像信号の輝度データに応じたＡＥ評価値を出力し、フラッシュメモリ１３０に記憶されたＡＥ評価値と適正露光レベルとの関係を示すＡＥテーブルを参照して、ＩＰＰ１０７から出力されるＡＥ評価値に対応する適正露光レベルを算出し、当該算出した適正露光レベルに基づいて、自動露出制御を行う一方、デジタルカメラ調整装置２００のコンピュータ２０７は、輝度箱２０６から照射される基準輝度レベルの光に対するＩＰＰ１０７から出力されるＡＥ評価値が、基準値となるように、デジタルカメラ１００のＣＰＵ１２１を制御し、当該ＡＥ評価値が、基準値となったときのＣＣＤ１０３の露光レベルを基準として露光レベルを上下に段階的に変化させ、当該段階的に変化させた露光レベルと当該当該段階的に変化させた露光レベルでのＡＥ評価値とに基づいて、ＡＥ評価値と適正露光レベルとの関係を示す前記ＡＥテーブルを作成し、このＡＥテーブルのデータをデジタルカメラ１００に送信する構成とした。
【００４８】
従って、デジタルカメラ１００のＣＣＤ１０３やＣＣＤ１０３の出力をサンプリングするＣＤＳ回路１０４の特性のばらつきによらず、デジタルカメラ１００の露光条件を最適に設定可能とすることができ、デジタルカメラ１００の画像を高品質とすることができる。
【００４９】
また、本実施の形態においては、ＩＰＰ１０７は、ＣＣＤ１０３の受光画面を複数エリアに分割した場合の各エリア毎のＡＥ評価値を重み付け加算して得られるＡＥ評価値を出力することとしたので、高精度のＡＥ評価値を出力することが可能となる。
【００５０】
また、本実施の形態においては、デジタルカメラ調整装置２００のコンピュータ２０７は、輝度箱２０６から照射される基準輝度レベルの光に対するＡＥ評価値が、規格値内にあるか否かを判断し、規格値内にない場合には、ＡＥ評価値の異常と判断することとしたので、ＡＥ評価値の異常を検出することにより、ＣＣＤ１０３等の異常を判断することが可能となる。
【００５１】
【発明の効果】
本発明に係るデジタルカメラ調整システムは、デジタルカメラと、当該デジタルカメラを調整するデジタルカメラ調整装置と、からなるデジタルカメラ調整システムにおいて、デジタルカメラは、光学系を介した被写体光を電気信号に変換して画像信号として出力する撮像素子と、画像信号をＡ／Ｄ変換してデジタル画像信号として出力するＡ／Ｄ変換手段と、デジタル画像信号の輝度データに応じたＡＥ（Ａｕｔｏ  Ｅｘｐｏｓｕｒｅ）評価値を出力するＡＥ評価手段と、撮像素子の露光レベルを可変制御可能な露光レベル制御手段と、ＡＥ評価値と適正露光レベルとの関係を示すＡＥテーブルを記憶した記憶手段と、ＡＥテーブルを参照して、ＡＥ評価手段から出力されるＡＥ評価値に対応する適正露光レベルを算出し、当該適正露光レベルとなるように、自動露出制御を行う露出制御手段と、デジタルカメラ調整装置から送信されるＡＥテーブルを前記記憶手段に書き込む書込手段と、を備え、デジタルカメラ調整装置は、基準輝度レベルの光を照射する光源と、前記光源から照射される基準輝度レベルの光に対する前記ＡＥ評価値が、基準値となるように、露光レベル制御手段を制御する露光レベル調整手段と、前記ＡＥ評価値が、前記基準値となったときの前記撮像素子の露光レベルを基準として露光レベルを上下に段階的に変化させ、当該段階的に変化させた露光レベルと当該段階的に変化させた露光レベルでのＡＥ評価値とに基づいて、ＡＥ評価値と適正露光レベルとの関係を示すＡＥテーブルを作成するＡＥテーブル作成手段と、作成したＡＥテーブルをデジタルカメラの記憶手段に記憶すべくデジタルカメラに送信する送信手段と、を備えたこととしたので、撮像素子や撮像素子の出力をサンプリングするサンプリング回路の特性のばらつきによらず、露光条件を最適に設定可能とすることができ、高品質の画像を得ることが可能となる。
【００５２】
また、本発明に係るデジタルカメラ調整システムは、ＡＥ評価手段は、撮像素子の受光画面を複数エリアに分割した場合の各エリア毎のＡＥ評価値を重み付け加算して得られるＡＥ評価値を出力することとしたので、高精度のＡＥ評価値を出力することが可能となる。
【００５３】
また、本発明に係るデジタルカメラ調整システムは、露光レベル調整手段は、光源から照射される基準輝度レベルの光に対するＡＥ評価値が、規格値内にあるか否かを判断し、規格値内にない場合には、ＡＥ評価値の異常と判断することとした。ＡＥ評価値の異常を検出することにより、撮像素子等の異常を判断することが可能となる。
【００５４】
また、本発明に係るデジタルカメラ調整装置は、デジタルカメラを調整するデジタルカメラ調整装置において、基準輝度レベルの光を照射する光源と、光源から照射される基準輝度レベルの光に対するＡＥ評価値が、基準値となるように、デジタルカメラを制御する露光レベル調整手段と、ＡＥ評価値が、前記基準値となったときの前記撮像素子の露光レベルを基準として露光レベルを上下に段階的に変化させ、当該段階的に変化させた露光レベルと当該段階的に変化させた露光レベルでのＡＥ評価値とに基づいて、ＡＥ評価値と適正露光レベルとの関係を示すＡＥテーブルを作成するＡＥテーブル作成手段と、作成したＡＥテーブルをデジタルカメラの記憶手段に記憶すべくデジタルカメラに送信する送信手段と、を備えたこととしたので、撮像素子や撮像素子の出力をサンプリングするサンプリング回路の特性のばらつきによらず、露光条件を最適に設定可能とすることができ、高品質の画像を得ることが可能となる。
【００５５】
また、本発明に係るデジタルカメラ調整装置は、露光レベル調整手段は、光源から照射される基準輝度レベルの光に対する前記ＡＥ評価値が、規格値内にあるか否かを判断し、規格値内にない場合には、ＡＥ評価値の異常と判断することとしたので、ＡＥ評価値の異常を検出することにより、撮像素子等の異常を判断することが可能となる。
【図面の簡単な説明】
【図１】本実施の形態に係るデジタルカメラの構成図である。
【図２】図１のフラッシュメモリに格納されるＡＥテーブルの一例を示す図である。
【図３】図１のＩＰＰの具体的構成の一例を示す図である。
【図４】図１のＣＣＤのＡＥエリアを示す図である。
【図５】本実施の形態に係るデジタルカメラ調整装置の外観構成を示す図である。
【図６】本実施の形態に係るデジタルカメラ調整システムの構成図である。
【図７】図５のコンピュータの構成を示す図である。
【図８】図７の調整ＲＡＭのメモリ構成の一例を示す図である。
【図９】ＡＥテーブル調整の処理手順を示すフローチャートである。
【図１０】表示メニューを示す図である。
【符号の説明】
１００    デジタルカメラ
１０１    レンズ
１０２    オートフォーカス等を含むメカ機構
１０３    ＣＣＤ（電荷結合素子）
１０４    ＣＤＳ（相関２重サンプリング）回路
１０５    可変利得増幅器（ＡＧＣアンプ）
１０６    Ａ／Ｄ変換器
１０７    ＩＰＰ（Image Pre-Processor)
１０８    ＤＣＴ（Discrete Cosine Transform)
１０９    コーダー（Huffman Encoder/Decoder)
１１０    ＭＣＣ（Memory Card Controller）
１１１    ＲＡＭ（内部メモリ）
１１２    ＰＣカードインタフェース
１２１    ＣＰＵ
１２２    表示部
１２３    操作部
１２５    モータドライバ
１２６    ＳＧ部
１２７    ストロボ
１２８    バッテリ
１２９    ＤＣ−ＤＣコンバータ
１３０    フラッシュメモリ
１５０    ＰＣカード
２００    デジタルカメラ調整装置
２０１    デジタルカメラ供給用電源
２０２    アダプター
２０３    モニタ
２０４    ベクトルスコープ
２０５    ウエーブフォームモニタ
２０６    輝度箱
２０７    コンピュータ
２０８    ディスプレイ
２０９    ＧＰＩＢＩ／Ｆ
２１０    調整治具本体
２１１    制御ＢＯＸ
３００    デジタルカメラ調整システム
１０７１  色分離部
１０７２  信号補間部
１０７３  ペデスタル調整部
１０７４  ホワイトバランス調整部
１０７５  デジタルゲイン調整部（デジタルゲイン調整手段）
１０７６  γ変換部
１０７７  マトリクス部
１０７８  ビデオ信号処理部
１０７９  Ｙ演算部
１０８０  ＢＰＦ
１０８１  ＡＦ評価値回路
１０８２  ＡＥ評価値回路
１０８３  Ｙ演算部
１０８４  ＡＷＢ評価値回路
１０８５  ＣＰＵＩ／Ｆ
１０８６  ＤＣＴＩ／Ｆ
１０７５ｒ，１０７５ｇ，１０７５ｂ  乗算器
２０７１  入力部
２０７２  ＣＰＵ
２０７３  ＲＯＭ
２０７４  ＲＡＭ
２０７５  制御ＲＡＭ
２０７６  調整ＲＡＭ
【図１】
0004077086.tif 000002
【図２】
0004077086.tif 000003
【図３】
0004077086.tif 000004
【図４】
0004077086.tif 000005
【図５】
0004077086.tif 000006
【図６】
0004077086.tif 000007
【図７】
0004077086.tif 000008
【図８】
0004077086.tif 000009
【図９】
0004077086.tif 000010
【図１０】
0004077086.tif 000011